(57)【要約】【課題】自然な背景を有する被写体の画像を簡単に得ることが可能な撮影システム及び撮影方法を提供する。【解決手段】撮影システム１００は、被写体Ｐを撮影する携帯情報端末１のカメラ１４と、携帯情報端末１のカメラ１４が撮影する被写体Ｐの背景画像４２になる、ぼかしのある絵柄を有する背景板３とを備える。そして、携帯情報端末１のカメラ１４と、背景板３との間の距離Ｌは、携帯情報端末１のカメラ１４の画角に背景板３が写りこむ距離であり、かつ、背景板３の背景画像４２により決定される。【選択図】図１
2019040004.tif 000002
【特許請求の範囲】
【請求項１】
被写体を撮影する撮影装置と、
前記撮影装置が撮影する前記被写体の背景画像になる、ぼかしのある絵柄を有する絵柄部材と、
を備えた撮影システム。
【請求項２】
請求項１に記載の撮影システムにおいて、
前記撮影装置と、前記絵柄部材との間の距離を決定する撮影位置決定手段を備える、
撮影システム。
【請求項３】
請求項２に記載の撮影システムにおいて、
前記撮影位置決定手段は、前記絵柄部材のぼかし度合に応じて前記距離を決定する、
撮影システム。
【請求項４】
請求項２に記載の撮影システムにおいて、
前記撮影位置決定手段は、前記絵柄部材に有する前記絵柄の大きさに応じて前記距離を決定する、
撮影システム。
【請求項５】
請求項１から請求項４までのいずれかに記載の撮影システムにおいて、
前記絵柄部材は、前記撮影装置の被写界深度内に位置する、
撮影システム。
【請求項６】
請求項１から請求項５までのいずれかに記載の撮影システムにおいて、
前記撮影装置は、撮影画像に、保有する画像データを重畳する、
撮影システム。
【請求項７】
請求項６に記載の撮影システムにおいて、
前記画像データは、ぼかし処理を施したものである、
撮影システム。
【請求項８】
請求項７に記載の撮影システムにおいて、
前記ぼかし処理は、前記被写体との距離に応じた、異なるぼかし度合である、
撮影システム。
【請求項９】
請求項１から請求項８までのいずれかに記載の撮影システムにおいて、
前記絵柄部材は、印刷画像が貼付された板材である、
撮影システム。
【請求項１０】
請求項１から請求項８までのいずれかに記載の撮影システムにおいて、
前記絵柄部材は、シート状の部材である、
撮影システム。
【請求項１１】
請求項１から請求項１０までのいずれかに記載の撮影システムにおいて、
前記撮影装置は、携帯情報端末に設けられている、
撮影システム。
【請求項１２】
ぼかしのある絵柄を有する絵柄部材を被写体の背景画像にして、撮影装置により前記被写体を撮影する撮影方法。
【発明の詳細な説明】
【技術分野】
【０００１】
本発明は、撮影システム及び撮影方法に関する。
【背景技術】
【０００２】
従来、被写体を含む画像に、例えば、観光地の画像を合成して、あたかも被写体が観光地に行って撮影したかのような画像を得ることが行われている。
具体的には、カメラによる被写体の撮影画像と、観光地の背景画像である合成用画像とを合成して、合成画像を生成する装置が開示されており、その技術を用いて画像を得ることができる。合成画像の生成では、クロマキー合成を行うことが一般的に行われている（例えば、特許文献１）。
【先行技術文献】
【特許文献】
【０００３】
【特許文献１】特許第３４９９８６２号公報
【発明の概要】
【発明が解決しようとする課題】
【０００４】
特許文献１では、被写体を撮影した画像に合成用画像を合成する処理を行うものであった。よって、撮影画像と合成用画像との合成処理が必要であり、処理が煩雑であった。また、生成した画像は、２つの画像を合成したものであるため、見た目に不自然な画像になる場合があった。
【０００５】
そこで、本発明は、自然な背景を有する被写体の画像を簡単に得ることが可能な撮影システム及び撮影方法を提供することを目的とする。
【課題を解決するための手段】
【０００６】
本発明は、以下のような解決手段により、前記課題を解決する。
第１の発明は、被写体を撮影する撮影装置と、前記撮影装置が撮影する前記被写体の背景画像になる、ぼかしのある絵柄を有する絵柄部材と、を備えた撮影システムである。
第２の発明は、第１の発明の撮影システムにおいて、前記撮影装置と、前記絵柄部材との間の距離を決定する撮影位置決定手段を備える、撮影システムである。
第３の発明は、第２の発明の撮影システムにおいて、前記撮影位置決定手段は、前記絵柄部材のぼかし度合に応じて前記距離を決定する、撮影システムである。
第４の発明は、第２の発明の撮影システムにおいて、前記撮影位置決定手段は、前記絵柄部材に有する前記絵柄の大きさに応じて前記距離を決定する、撮影システムである。
第５の発明は、第１の発明から第４の発明までのいずれかの撮影システムにおいて、前記絵柄部材は、前記撮影装置の被写界深度内に位置する、撮影システムである。
第６の発明は、第１の発明から第５の発明までのいずれかの撮影システムにおいて、前記撮影装置は、撮影画像に、保有する画像データを重畳する、撮影システムである。
第７の発明は、第６の発明の撮影システムにおいて、前記画像データは、ぼかし処理を施したものである、撮影システムである。
第８の発明は、第７の発明の撮影システムにおいて、前記ぼかし処理は、前記被写体との距離に応じた、異なるぼかし度合である、撮影システムである。
第９の発明は、第１の発明から第８の発明までのいずれかの撮影システムにおいて、前記絵柄部材は、印刷画像が貼付された板材である、撮影システムである。
第１０の発明は、第１の発明から第８の発明までのいずれかの撮影システムにおいて、前記絵柄部材は、シート状の部材である、撮影システムである。
第１１の発明は、第１の発明から第１０の発明までのいずれかの撮影システムにおいて、前記撮影装置は、携帯情報端末に設けられている、撮影システムである。
第１２の発明は、ぼかしのある絵柄を有する絵柄部材を被写体の背景画像にして、撮影装置により前記被写体を撮影する撮影方法である。
【発明の効果】
【０００７】
本発明によれば、自然な背景を有する被写体の画像を簡単に得ることが可能な撮影システム及び撮影方法を提供することができる。
【図面の簡単な説明】
【０００８】
【図１】本実施形態に係る撮影システムの全体概要を示す図である。
【図２】本実施形態に係る携帯情報端末の機能ブロック図である。
【図３】本実施形態に係るぼかし処理前後の画像の例を示す図である。
【図４】本実施形態に係るぼかし処理前後の画像を背景板にした場合の携帯情報端末による撮影画像例を示す図である。
【図５】本実施形態との比較例として、一眼レフカメラによる撮影画像例を示す図である。
【図６】本実施形態に係る撮影システムでの画像例を示す図である。
【図７】変形形態に係る撮影システムの全体概要を示す図である。
【図８】変形形態に係る撮影システムでの画像例を示す図である。
【発明を実施するための形態】
【０００９】
以下、本発明を実施するための形態について、図を参照しながら説明する。なお、これは、あくまでも一例であって、本発明の技術的範囲はこれに限られるものではない。
（実施形態）
図１は、本実施形態に係る撮影システム１００の全体概要を示す図である。
図２は、本実施形態に係る携帯情報端末１の機能ブロック図である。
図３は、本実施形態に係るぼかし処理前後の画像の例を示す図である。
図１に示す撮影システム１００は、携帯情報端末１と、背景板３（絵柄部材）とを備える。そして、撮影システム１００は、携帯情報端末１のカメラ１４（撮影装置）によって、背景板３の手前方向Ｘ１側に配置した被写体Ｐを撮影することで、背景板３を背景とした被写体Ｐの画像を得るシステムである。
【００１０】
＜携帯情報端末１＞
携帯情報端末１は、カメラ１４を備える端末であり、例えば、携帯電話機、スマートフォン、タブレット等である。
図２に示すように、携帯情報端末１は、制御部１０と、記憶部１２と、カメラ１４と、タッチパネルディスプレイ１６と、通信インタフェース部１９とを備える。
制御部１０は、携帯情報端末１の全体を制御する中央処理装置（ＣＰＵ）である。制御部１０は、記憶部１２に記憶されているオペレーティングシステム（ＯＳ）や、各種のアプリケーションプログラムを適宜読み出して実行することにより、上述したハードウェアと協働し、各種機能を実行する。
記憶部１２は、制御部１０を実行するために必要なプログラム、データ等を記憶するための半導体メモリ素子等の記憶領域である。記憶部１２は、制御部１０が各種の処理を実行する上において必要なプログラムやデータ等を、適宜記憶するようになされている。
【００１１】
カメラ１４は、被写体Ｐを撮影する装置である。カメラ１４は、携帯情報端末１に備えられるため、一般的に、一眼レフカメラのような性能の高いカメラではなく、性能の低いカメラである。
カメラ１４は、絞り部１４ａと、レンズ１４ｂと、イメージセンサ１４ｃ（撮像素子）とを備える。
絞り部１４ａは、いわゆるカメラのシャッターの役割を果たす。絞り部１４ａは、レンズ１４ｂに当てる光を調整するものであり、開放する大きさは、絞り値（以下、Ｆ値ともいう。）に応じて決定される。なお、携帯情報端末１のカメラ１４の場合には、Ｆ値は、予め決まった値になっている。
レンズ１４ｂは、絞り部１４ａから入射した光を透過し、又は、屈折する。レンズ１４ｂは、イメージセンサ１４ｃに焦点が合うように調整するためのものである。
イメージセンサ１４ｃは、例えば、１／２．６型のＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等である。イメージセンサ１４ｃは、制御部１０の出力信号に基づいて、被写体Ｐの撮像を行う。
【００１２】
ここで、携帯情報端末１に備えられるような性能の低いカメラ１４を、一眼レフカメラのような性能の高いカメラと比較して説明する。
携帯情報端末１のカメラ１４は、Ｆ値を変えるための機能を有していない。そのため、Ｆ値は、固定である。
一般に、Ｆ値は、その値が小さいほど、ピントが合って見える範囲が狭くなり、大きいほど、ピントが合って見える範囲が広くなる。
そして、カメラ１４のＦ値は、ピントが合って見える範囲が広くなるような、比較的大きな値になっている。そのため、カメラ１４においては、Ｆ値によって背景にもピントが合ってしまい、被写体Ｐの背景をぼかすことができない。
他方、一眼レフカメラは、Ｆ値を変えるための機能を有する。よって、背景をぼかした画像を取得する場合に、一眼レフカメラは、Ｆ値を小さくすることで、ピントが合う範囲を狭くして、被写体Ｐの背景をぼかすことができる。
【００１３】
次に、携帯情報端末１は、携帯情報端末１自体のサイズの小ささや軽さを追及するため、あらゆる部品を小型軽量化している。そのため、携帯情報端末１のカメラ１４には、例えば、１／２．６型より小さいサイズのイメージセンサ１４ｃが搭載されている。そして、携帯情報端末１のカメラ１４の場合、イメージセンサ１４ｃが小さくても、イメージセンサが大きいものと同じ画角を得ようとするので、焦点距離が短い、つまり、被写界深度が深いレンズを使うことになる。そのため、携帯情報端末１のカメラ１４では、被写界深度が深くなり、被写体Ｐの背景をぼかすことが難しくなる。
他方、一眼レフカメラが有するイメージセンサは、携帯情報端末１のようなサイズの制約がなく、サイズが大きい。携帯情報端末１のカメラ１４に搭載されたイメージセンサ１４ｃと同じ性能のイメージセンサを、一眼レフカメラが有する場合、イメージセンサのサイズが大きいため、焦点距離が長い、つまり、被写界深度が浅いレンズにも対応でき、被写体Ｐの背景をぼかすことができる。
【００１４】
タッチパネルディスプレイ１６は、例えば、撮影者が撮影のためのボタンを押下する等の入力するための入力装置としての機能と、例えば、カメラ１４を介して取得した画像を表示させる等の表示装置としての機能とを有する。
通信インタフェース部１９は、例えば、撮影した画像をアップロードするための外部装置等に対して、データを送受信するためのインタフェースである。
【００１５】
＜背景板３＞
図１に戻り、背景板３は、例えば、ぼかし処理を施した背景画像の印刷物３０（印刷画像）を、ボード（板材）に貼り付けたものである。
背景板３は、例えば、横方向Ｙが５〜８ｍ程度、鉛直方向Ｚが２〜３ｍ程度の大きさを有するボードであり、背面（奥行方向Ｘ２側）に、直立させるための支柱（図示せず）等を有する。そして、背景板３は、例えば、背景画像を背景板３の大きさに印刷した印刷物３０が、前面（手前方向Ｘ１側）に貼り付けられている。背景画像は、例えば、携帯情報端末１とは異なる他のカメラ（図示せず）で撮影された風景等の画像である。なお、背景画像は、携帯情報端末１で撮影した画像であってもよい。
【００１６】
ここで、背景板３に貼り付ける背景画像の例を、図に基づき説明する。
図３（Ａ）は、ぼかし処理を施す前の背景画像４０の例である。ぼかし処理前の背景画像４０は、背景画像４０に含まれる絵柄模様等の各パーツ（絵柄）が鮮明であり、シャープな印象の画像である。
図３（Ｂ）は、ぼかし処理を施した後の背景画像４２の例である。ぼかし処理後の背景画像４２は、背景画像４２に含まれる各パーツがぼんやりしており、全体にぼかしがある画像である。ここで、背景画像４２は、背景画像４０に対して、例えば、周囲の画素値の平均をとる方法等、公知の手法によるぼかし処理を施すことによって生成された画像である。
なお、背景画像４２は、一般的なコンピュータに、例えば、ぼかし処理を実行するためのぼかし処理プログラムを有し、背景画像４０にぼかし処理を行うことで生成できる。
【００１７】
背景画像４２が生成できたら、次に、背景画像４２を紙等に印刷し、印刷物３０を、背景板３に貼り付ける。このような作業によって、背景板３を準備することができる。
背景板３は、上述したように、例えば、背景画像が表示されたディスプレイや、背景画像を投影したスクリーンではなく、背景画像４０にぼかし処理を施した背景画像４２を印刷した印刷物３０が貼付されたものである。そのようにすることで、被写体Ｐの背景の色目を、実際の背景により近いものにできる。また、背景画像が表示されたディスプレイや、背景画像を投影したスクリーンではなく、背景画像４０にぼかし処理を施した背景画像４２を印刷した印刷物３０を使用した場合には、撮影結果に、縞模様のような、いわゆるモアレが生じないという効果もある。
【００１８】
＜撮影システム１００の設営＞
次に、撮影システム１００の設営について説明する。
まず、背景板３を設置する。背景板３の背景画像４２の色調が実際の色調により近いものになるように、設置空間において、一定量以上の光を有する場所に、背景板３を設置するのが好ましい。
次に、携帯情報端末１の位置を決定する。
【００１９】
第１に、携帯情報端末１の撮影位置決定手段は、背景板３との関係によって携帯情報端末１の位置を決定する。
まず、撮影システム１００では、携帯情報端末１の画角に少なくとも背景板３のみが写りこむように、携帯情報端末１と、背景板３との距離Ｌの最大値を決定する。つまり、携帯情報端末１の位置は、距離Ｌの最大値より内側の範囲内になる。
次に、例えば、背景画像４２を生成するために施したぼかし処理における、ぼかし度合に応じて、携帯情報端末１の位置を決定する。携帯情報端末１と、背景板３との距離Ｌは、ぼかし度合が大きいほど短くてよい。
また、例えば、背景画像４２に有する各パーツの大きさに応じて、携帯情報端末１の位置を決定する。携帯情報端末１と、背景板３との距離Ｌは、各パーツの大きさが大きいほど、短くてよい。
【００２０】
第２に、携帯情報端末１の撮影位置決定手段は、カメラ１４の被写界深度Ｄに基づいて携帯情報端末１の位置を定めることができる。
カメラ１４が被写体Ｐに合焦した際に、図１に示すように、被写界深度Ｄに背景板３が入るように、携帯情報端末１と背景板３との距離Ｌを決定する。携帯情報端末１のカメラ１４は、上述したように、一般的に、性能が低いため、被写界深度Ｄが大きい。よって、被写界深度Ｄに被写体Ｐと背景板３とを含むように、携帯情報端末１の位置を決定することは、容易である。
【００２１】
次に、設営完了後の背景板３を用いた撮影について説明する。
図４は、本実施形態に係るぼかし処理前後の画像を背景板３にした場合の携帯情報端末１による撮影画像例を示す図である。
図５は、本実施形態との比較例として、一眼レフカメラによる撮影画像例を示す図である。
撮影システム１００の設営が完了したら、携帯情報端末１と、背景板３との間の被写体Ｐを、携帯情報端末１のカメラ１４によって撮影する。
図４（Ａ）は、比較例であり、背景画像４０が貼付された背景板をバックに、携帯情報端末１によって被写体Ｐを撮影した画像５０の例を示す。
図４（Ｂ）は、背景画像４２が貼付された背景板３をバックに、携帯情報端末１によって被写体Ｐを撮影した画像５２の例を示す。
なお、図５は、比較例であり背景画像４０が貼付された背景板のもとで、一眼レフカメラによって撮影した画像５４の例を示す。この図５に示す画像５４を撮影するために使用する一眼レフカメラは、Ｆ値を小さく設定し、イメージセンサが大きいものを使用している。そして、画像５４は、被写界深度Ｄを浅くし、被写体Ｐに焦点が合うように設定した一眼レフカメラによって撮影されたものである。
【００２２】
図４（Ａ）に示す画像５０は、背景になる画像がはっきりとした画像である。そのため、画像５０は、被写体Ｐと、背景になる画像との遠近感が分かりにくい。
図４（Ｂ）に示す画像５２は、背景になる画像が、ぼかし処理がされたものである。そのため、画像５２は、被写体Ｐと、背景になる画像との遠近感が、背景画像４２のぼかし効果によって、分かりやすいものになっている。
また、図４（Ｂ）に示す画像５２は、図５に示す画像５４と比較すると、画像５４とほぼ同じ画像である。よって、画像５２は、性能の高いカメラで撮影した画像５４と遜色ない画像になる。よって、撮影システム１００は、被写体Ｐの背景を自然な背景にでき、自然な遠近感を感じられる画像を得ることができる。
【００２３】
なお、背景画像４２が貼付された背景板３をバックに、携帯情報端末１によって被写体Ｐを撮影する場合に、被写体Ｐの前面に、さらに前景を有するようにしてもよい。その場合には、例えば、前景画像の印刷物を、被写体Ｐの前面に配置して撮影してもよい。前景画像の印刷物を被写体の前面に配置する場合、無色かつ透過性のある素材に絵柄画像を印刷した印刷物を、被写体の前面に配置にすればよい。
図６は、本実施形態に係る撮影システムでの画像例を示す図である。画像６０は、図４（Ｂ）に示す画像５２と同じ条件で、に、被写体Ｐの前面に前景画像６０ａを配置して撮影した合成画像である。ここで、前景画像６０ａは、コントラストのはっきりした、実物とほぼ同じ大きなパーツの画像である。このように、前景画像６０ａと共に背景板３を背景にして被写体Ｐを撮影することで、より背景画像との遠近感を感じさせることができる。
【００２４】
また、撮影画像に、前景画像を合成してもよい。その場合には、携帯情報端末１は、図４（Ｂ）に示す画像５２に、この携帯情報端末１の記憶部１２に有する前景画像６０ａを重畳すればよい。
さらに、合成する前景画像は、ぼかし処理を施したものであってもよい。その場合、被写体Ｐに合焦した画像になるようにするため、前景画像は、被写体Ｐとの距離に応じたぼかし度合によるぼかしが施されたものであるものが望ましい。このように、ぼかし処理を施した前景画像を重畳することにより、より自然な風合いの画像である写真データを生成できる。
なお、前景画像と、背景画像との両方に同じパーツ（例えば、桜）を含めるようにすると、撮影した画像は、前景画像と背景画像とによって、より一体感が出たものにできる。
【００２５】
このように、本実施形態によれば、撮影システム１００は、以下のような効果がある。
（１）被写体Ｐの背景として写りこむ背景板３の画像を、ぼかし処理を施した背景画像４２を印刷した印刷物３０にすることで、性能の低いカメラ１４を使用した撮影であっても、背景が自然な遠近感が表現され、自然な背景にした被写体Ｐの画像を得ることができる。
また、背景板３を背面に被写体Ｐを撮影するだけでよく、合成処理等の煩雑な処理を行う必要がない。そのため、背景板３を用意すれば、簡単に自然な背景にした被写体Ｐの画像を得ることができる。
（２）携帯情報端末１と、背景板３との距離Ｌを、背景板３の背景画像４２のぼかし度合や、各パーツの大きさに応じて決定するので、背景板３の背景画像４２との関係において、自然な違和感のない画像を得ることができる。
【００２６】
以上、本発明の実施形態について説明したが、本発明は上述した実施形態に限定されるものではない。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【００２７】
（変形形態）
【００２８】
（１）本実施形態では、背景板に貼付する印刷物が、背景画像に対してぼかし処理を行った画像の印刷物であるとして説明したが、これに限定されない。ぼかし処理を行わず、背景画像に対して拡大印刷することによってぼかしを有するようになった印刷物であってもよい。
（２）本実施形態では、背景板を、背景画像の印刷物を貼付したものとして説明したが、これに限定されない。複数の印刷物を、めくり可能にして背景板の上端部に束ねておき、適宜の印刷物を背景板に垂れ下げるようにしてもよい。そのようすることで、１つの背景板であっても、複数種類の背景画像による撮影を行うことができる。
【００２９】
（３）本実施形態では、背景板を、床面に対して直立したボードに、ぼかし処理を施した背景画像の印刷物を貼り付けたものとして説明したが、これに限定されない。
図７は、変形形態に係る撮影システム１００−２の全体概要を示す図である。
図８は、変形形態に係る撮影システム１００−２での画像例を示す図である。
図７に示す撮影システム１００−２では、ぼかし処理を施した背景画像７０が印刷された、例えば、床シートであるターポリン３−２（絵柄部材）を、床面に敷く。そして、ターポリン３−２を鉛直方向Ｚの上から下の方向（−Ｚ方向）に撮影するカメラ１４−２を配置する。
カメラ１４−２は、性能の低いものであってよく、ターポリン３−２の上の被写体Ｐを撮影可能である。
そして、撮影システム１００−２では、カメラ１４−２の画角に少なくともターポリン３−２のみが写りこむように、かつ、被写界深度Ｄにターポリン３−２が入るように、カメラ１４−２とターポリン３−２との距離Ｌを決定するのは、撮影システム１００の場合と同様である。
【００３０】
図８は、図７に示す撮影システム１００−２において被写体Ｐを撮影し、前景画像６０ａ，６０ｂを合成した画像７２である。
前景画像６０ｂは、全面に散りばめられた桜の花びらの画像である。
このように、床面に配置されたぼかし画像のターポリン３−２の上の被写体を、鉛直方向Ｚの上から下の方向（−Ｚ方向）に撮影することで、面白い角度からの画像７２が取得できると共に、ぼかし画像である背景画像７０と、前景画像６０ａ，６０ｂとにより、遠近感が感じられる自然な画像７２が取得できる。
【００３１】
（４）本実施形態では、携帯情報端末のカメラを用いるものを例に説明したが、これに限定されない。他の性能の低いカメラであってもよい。また、性能の高いカメラであっても、被写界深度を大きく設定して撮影すれば、同様の効果を奏することができる。
（５）本実施形態では、背景板を板材として説明したが、これに限定されない。例えば、背景板に代わって、背景画像を、壁等に貼り付けたものであってもよい。
（６）本実施形態では、被写体は１人であったが、複数人であってもよいし、撮影対象は、人でなくてもよい。
【符号の説明】
【００３２】
１    携帯情報端末
３    背景板
３−２  ターポリン
１４，１４−２  カメラ
１４ｃ  イメージセンサ
３０  印刷物
４２  背景画像
５２，６０，７２  画像
１００，１００−２  撮影システム
Ｄ    被写界深度
Ｌ    距離
Ｐ    被写体
【図１】
2019040004.tif 000003
【図２】
2019040004.tif 000004
【図３】
2019040004.tif 000005
【図４】
2019040004.tif 000006
【図５】
2019040004.tif 000007
【図６】
2019040004.tif 000008
【図７】
2019040004.tif 000009
【図８】
2019040004.tif 000010